(57)【特許請求の範囲】
【請求項１】
ハウジングと、ハウジング内に配設する面状光源と、該面状光源を覆いハウジングの開放された側に取付けたレンズカバーと、を備える車両用灯具において、
上記面状光源は、発光面をレンズカバーに対峙するように配設し、透光性電極からなる陽極層と、有機化合物を発光材料とする有機ＥＬ層と、低仕事関数の金属材料からなる陰極層を順次積層して構成された有機ＥＬ素子を備えた有機ＥＬ表示装置からなり、その背面側にはその光源光を積極的に前方に反射する独立した反射鏡を有しておらず、
上記面状光源から発せられた光が上記レンズカバーを透過する光路には、上記面状光源の有機化合物発光材料から発せられた放射光の放射角度を狭める複数のレンズ素子からなるレンズカットが設けられている、ことを特徴とする車両用灯具。
【請求項２】
上記車両用灯具が、少なくとも２つの発光色の異なる面状光源と、これらの面状光源を同一色にて覆うレンズカバーとを備えている、ことを特徴とする請求項１に記載の車両用灯具。
【請求項３】
上記車両用灯具が、少なくとも２つの面状光源と、これらの面状光源を同一色にて覆うレンズカバーとを備えており、光源から発せられた放射光がレンズカバーを透過する光路には、放射光を吸収して放射光の発光波長とは異なる発光色を発する蛍光材料を備えている、ことを特徴とする請求項１に記載の車両用灯具。
【発明の詳細な説明】
【０００１】
【発明の属する技術分野】
本発明は、例えば自動車等の灯具に関するもので、詳細には尾灯、制動灯、方向指示灯、後退灯、これらの灯具が複合されたリアコンビネーションランプ、サイドマーカーランプなどの車両用灯具に係るものである。
【０００２】
【従来の技術】
従来、このような車両用灯具は、例えば図９および図１０に示すように構成され、リアコンビネーションランプとして用いられている。
【０００３】
図９および図１０において、リアコンビネーションランプ９０は、図示しない自動車の車体後方に、開放した前面が車体後方を向くように取り付けられるハウジング９１と、ハウジング９１の開放した前面を覆うレンズカバー９２と、各灯室９０ａ，９０ｂ，９０ｃ内の各々に配設した光源９３と、該光源に焦点を有する反射鏡９４と、から構成されている。
【０００４】
上記ハウジング９１は、方向指示灯部９０ａ、尾灯／制動灯部９０ｂおよび後退灯部９０ｃの３つの灯室を備えるように隔壁により区分され、前面が開放した略函状に形成されており、例えば、ＡＢＳ樹脂により一体に成形されている。
上記レンズカバー９２には、光源９３および反射鏡９４からの光を所定の配向特性を満足するように拡散するレンズカットが設けられている。また、区分した各灯室９０ａ，９０ｂ，９０ｃに対応してアンバー色、赤色、白色の異なる色の材料からなるレンズカバーとされ、例えば、アクリル等の樹脂を用いて多色成形する等の手段により得ることができる。レンズカバー９２は、ハウジング９１の開放した前面に接着して灯室を気密的に固定する。
上記光源９３としては、白熱電球が採用され、反射鏡９４の中央部に設けた図示しない開口部に反射鏡９４の背面側から挿入して固定する。
上記反射鏡９４は、例えば光源９３に焦点を有する回転放物面、もしくは複数の反射領域からなる複合反射面を備え、光源９３から放射された光をレンズカバー９２を通して、車体後方を照らす。
【０００５】
このような構成のリアコンビネーションランプ９０によれば、各灯室９０ａ，９０ｂ，９０ｃ内の各光源９３が点灯することにより、灯室９０ａにおいてはアンバー色光を照射して方向指示灯として作用し、灯室９０ｂにおいては赤色光を照射して尾灯／制動灯として作用し、灯室９０ｃにおいては白色光を照射して後退灯として作用する。
【０００６】
【発明が解決しようとする課題】
ところで、このような構成のリアコンビネーションランプ９０は、車体後方に取り付けられるが、取り付けのための空間を車体内に設けなければならず、車体内スペースを広くするためにその小型化が要望されている。一方、車両用信号灯としての機能を具備するためには、所定の発光面積が必要である。また、後続の車両の運転手等から見た際に均一な発光面として観視されることも要望されている。そこで、上記反射鏡９４およびレンズカバー９２には、光源９３からの照射光を拡散するような拡散処理を施して、各灯室９０ａ，９０ｂ，９０ｃにおいて均一な発光面が得られるようにしている。ここで均一な発光面とするためには、白熱電球光源９３および反射鏡９４と、レンズカバー９２との間の距離をある程度隔てることが必要であるため、薄型化を図ることが難かしくなってきている。
【０００７】
また、上記した理由から、レンズカバー９２に形成するレンズカット等による拡散処理は、いずれのリアコンビネーションランプの発光面も類似の印象を与えるものとなっており、新規な印象を与える発光面を備えた車両用の信号灯具が要望されている。
【０００８】
本発明は、以上の点から、薄型化の可能な、小容量の車両用灯具、新規な印象を与える発光面を備えた車両用灯具を提供することを目的としている。
【０００９】
【課題を解決するための手段】
上記目的は、本発明の態様によれば、（１）ハウジングと、ハウジング内に配設する面状光源と、該面状光源を覆いハウジングの開放された側に取付けたレンズカバーと、を備える車両用灯具において、上記面状光源は、発光面をレンズカバーに対峙するように配設し、透光性電極からなる陽極層と、有機化合物を発光材料とする有機ＥＬ層と、低仕事関数の金属材料からなる陰極層を順次積層して構成された有機ＥＬ素子を備えた有機ＥＬ表示装置からなり、その背面側にはその光源光を積極的に前方に反射する独立した反射鏡を有しておらず、上記面状光源から発せられた光が上記レンズカバーを透過する光路には、上記面状光源の有機化合物発光材料から発せられた放射光の放射角度を狭める複数のレンズ素子からなるレンズカットが設けられている、ことを特徴とする車両用灯具、により達成される。
【００１０】
この態様では、薄型で全体の容積の小さな車両用灯具を提供することができ得る。また、新規な印象を与える発光面を得ることができ得る。また、電磁ノイズを発生して他の車両搭載の電子機器に対して悪影響を与えないようにした車両用灯具を提供することができ得る。さらに、従来とは異なる作用を奏する新規なレンズカットを採用でき、優れた意匠の車両用灯具を提供することができ得る。
【００１２】
また、上記目的は、以下の態様によっても達成される。（２）上記車両用灯具が、少なくとも２つの発光色の異なる面状光源と、これらの面状光源を同一色にて覆うレンズカバーとを備えている、ことを特徴とする（１）に記載の車両用灯具。この態様によれば、非点灯時においては、統一的な外観の印象を与え、点灯時においては、異なる点灯色となって、非点灯時とは異なる印象を与えるリアコンビネーションランプ等の車両用灯具を提供でき得る。（３）上記車両用灯具が、少なくとも２つの面状光源と、これらの面状光源を同一色にて覆うレンズカバーとを備えており、光源から発せられた放射光がレンズカバーを透過する光路には、放射光を吸収して放射光の発光波長とは異なる発光色を発する蛍光材料を備えている、ことを特徴とする（１）に記載の車両用灯具。この態様によれば、白色以外の同一点灯色の光源を用意しても、様々な色の発光色のリアコンビネーションランプ等の車両用灯具を提供することができ得る。
【００１３】
【発明の実施の形態】
以下、この発明の好適な実施形態を図１から図６を参照しながら、詳細に説明する。
【００１４】
図１、図２および図３は本発明による車両用灯具の一例として、リアコンビネーションランプに適用した場合の一実施形態の構成を示している。図１、２において、リアコンビネーションランプ１は、所定の規格を具備するようにレンズカットが施されたレンズカバー２と、レンズカバー２の背面に配設された３つの光源３ａ，３ｂ，３ｃからなる光源３と、さらにその背面側に配設されたハウジング４と、から構成され、ハウジング４とレンズカバー２により形成される灯室５が形成されている。
【００１５】
以上の構成は、従来のリアコンビネーションランプとほぼ同様の構成であるが、本発明実施形態によるリアコンビネーションランプ１においては、以下の点で異なる構成になっている。
即ち、上記光源３として、薄型の面発光素子である有機ＥＬ素子からなる光源３を配設し、レンズカバー２とハウジング４とを略平行に、且つ、灯室５が狭い間隙となるようにして、薄型の奥行きを狭めた構成になっている。そして、上記光源の背面側にはその光源光を積極的に前方に反射する独立した反射鏡を有していない。
【００１６】
上記レンズカバー２は、方向指示灯部２ａ、尾灯／制動灯部２ｂ、後退灯部２ｃおよび赤色にて形成された再帰反射部２ｄの４つの部分を備え、各々の部分の光源３と対峙するレンズカバー内面にはレンズカットが形成されている。また、各部分の間および周囲にはハウジング４と当接する平坦部２ｅが形成されている。このようなレンズカバー２は、例えば薄いピンク色のアクリル樹脂を用いて射出成形技術等の手段により一体に形成される。
【００１７】
方向指示灯部２ａ、尾灯／制動灯部２ｂ、後退灯部２ｃのレンズカットは、例えば図４に示したようなレンズカット６をレンズカバー２の内面に形成する。図４において（ａ）は平面図、（ｂ）は（ａ）のＡ−Ａ部の断面図である。レンズカット６は多数のレンズ素子７からなり、各素子はレンズカバー２の外側表面と略平行な平坦表面の四角形状とした上部面６ａと、上部面６ａの各辺に台形状の平面を設けた側方斜面６ｂとからなる。
【００１８】
レンズカット６に近接して配設した面発光素子光源３からの照射光は、放射状に広がるベクトルを有して上記レンズ素子７の夫々に入射する。入射光の一部は殆ど屈折することなく上部面６ａを通過して車体後部方向に出射し、他の一部は、側方斜面６ｂにより反射、屈折された後に車体後部方向に出射する。上部面６ａおよび側方斜面６ｂの形状、大きさや傾斜角度を適宜調整することで、方向指示灯部２ａ、尾灯／制動灯部２ｂ、後退灯部２ｃの夫々の機能に応じた配光を得ることができる。なお、上部面６ａや側方斜面６ｂは平面に限られるものではなく、例えば図４（ｃ）および（ｄ）に示したように上部面６ａおよび／または側方斜面６ｂを凸曲面、凹曲面やこれらの複合曲面などとした曲面であっても良く、さらには全てのレンズ素子７が同一のレンズカットでなくても良い。要はレンズ素子７全体として、照射光の照射角度を狭めるようなレンズカット６とすることで、所望の配光を得ることができるものならば他のカットでも構わない。
【００１９】
上記光源３は、方向指示灯部用のアンバー色を発光する光源３ａ、尾灯／制動灯部用の赤色を発光する光源３ｂ、後退灯部用の白色を発光する光源３ｃの３つの面発光光源を備え、レンズカバー２の背面に固定されている。面発光光源とは、白熱電球のような線状のフィラメントからの発光ではなく、車両用灯具の光源として用いたときに実質的に面状とみなせる光源をいう。面発光光源としては、ＺｎＳ等の無機化合物蛍光体をバインダー樹脂に分散させて塗布形成した所謂厚膜ＥＬ素子、ＺｎＳ等の無機化合物を用いた所謂薄膜ＥＬ素子、有機化合物発光材料を用いた所謂有機ＥＬ素子等を用いることができるが、後述する有機ＥＬ素子１０を用いた有機ＥＬ表示装置光源３を用いることが好適である。有機ＥＬ素子１０を光源として用いた場合には、薄型の面発光光源が得られるばかりではなく、有機ＥＬ素子１０を点灯する際においては、車両の電源として多用されている直流電源により点灯することができるので、インバーター等の電磁ノイズを発生する回路部品が不要となり、やっかいな電磁ノイズ発生の問題が生じない。また、有機材料を適宜選択する等によりアンバー色、赤色、白色等の異なる色の照射光を得ることができるからである。
【００２０】
上記ハウジンング４は、レンズカバー２を貼付する側となる内面側に上記したレンズカバーの各表示部２ａ，２ｂ，２ｃ，２ｄに対応して、各領域に区分するための隔壁４ａが設けられている。ハウジング４はレンズカバー２と略同一の大きさの近似する外形形状となるように、例えばＡＢＳ樹脂等を成形することにより得られる。また、外面には上記光源３に給電するための電気的接続部４ｂが形成されており、電気的接続部４ｂには、上記した光源に電源を供給するための電源供給配線４ｃが設けられている。
【００２１】
本発明実施形態のリアコンビネーションランプ１は、例えば次のようにして組み立てることができる。
ハウジンング４内面の隔壁４ａに区分された箇所のうち、方向指示灯部２ａ、尾灯／制動灯部２ｂ、後退灯部２ｃに対応する位置に発光面側がレンズカバー２側となるようにして有機ＥＬ表示装置光源３ａ，３ｂ，３ｃを図３に示したように配設固定する。ハウジング４内には、電気的接続部４ｂに延長された電源供給配線４ｃを事前に敷設し、その上にゴムや発泡性エラストマー樹脂などからなる衝撃吸収部材８を設け、さらにその上に有機ＥＬ表示装置光源３を接着剤等を用いて固定する。各区分された灯室内に配設する光源は１つに限らず複数の光源を配設しても良い。配設された有機ＥＬ表示装置光源３は上記した電源供給配線４ｃと接続される。
その後、レンズカット６を形成したレンズカバー２内面とハウジング４内面とを対向配設し、上記隔壁４ａをレンズカバー２の平坦部２ｅに当接させて灯室５を得る。
【００２２】
次にこの状態で両者を接着固定する。本実施形態においては隔壁４ａと平坦面２ｅとの接触箇所と、光源３との距離が近いので、従来の灯具のように熱板溶着等の手法で両者を接着固定すると熱ダメージ、溶着作業スペース等が発生し好ましくない。さらに、熱板溶着による接着固定では、溶着跡が汚くなりリアコンビネーションランプの外観品質を低下させる問題もある。そこで、隔壁４ａの先端は平面とされており、レンズカバー２の平坦面２ｅとを面接触させ、この状態にて、レンズカバー２の外面側からレーザー光線を照射してレンズカバー２とハウジング４とを溶着して接着固定することが好ましい。レーザー光線による溶着の場合には、上記した問題点を生じることなく強固な固定が得られ、また接着箇所を最小限に留めて有効発光面積を大きくとることができ得る。また、周辺部についても同様に溶着させて接着固定する。これにより灯室５内においては、有機ＥＬ表示装置光源３とレンズカット６とが適宜な間隙９を設けて対向するものとなる。
なお、車両用灯具は比較的大きな面積を必要とするため、リアコンビネーションランプ１のように複数の灯室を有する薄型の複合灯具の場合には、ネジレ等が発生し易い。そこで、従来の灯具においては灯具周囲部のみを接着固定しているが、本実施形態においては灯具周囲部のみならず各灯室別に区切る隔壁４ａもレンズカバー２と接着固定するものとして、ネジレ等が発生しにくい寸法精度および強度に優れたリアコンビネーションランプが得られるようにしている。
【００２３】
なお、両者の接着固定は溶着によるものに限らず、接着剤で固定するものでも、シールゴムを介して両者を貼り合せてクリップ等で挟持して固定するものなどでも良い。また、上記間隙９には有機ＥＬ表示装置光源３からの発光を大きく妨げないようにゴムや発泡性エラストマー樹脂もしくはバネなどの弾性部材からなる中間部材９ａを設けることもできる。この場合、ハウジング４とレンズカバー２を貼り合せると、図示しない中間部材と衝撃吸収部材８の間で有機ＥＬ表示装置光源３を挟持するようにして、有機ＥＬ表示装置光源３が車両の振動等により位置ずれしたり、破損したりすることを予防でき得るようにすることが好ましい。
【００２４】
ここで、有機ＥＬ表示装置光源３について図５を参照しながら説明を実施する。有機ＥＬ表示装置光源３は、有機化合物を発光材料とする有機ＥＬ素子（有機エレクトロルミネッセント素子）を含む発光装置で、例えば、有機ＥＬ素子１０を設けた透光性基板１１と、有機ＥＬ素子１０を外部雰囲気から隔離するために設けた封止基板１２および両基板間を接着固定するシール剤１７とからなり、封止された空隙１９内には乾燥手段１８を含む。また、図示しない直流電源により点灯駆動する。
【００２５】
有機ＥＬ素子１０は、陽極層として透光性電極１３と、有機ＥＬ層１４と、陰極層として低仕事関数の電極１５を、例えば蒸着法により順次積層して構成される。また、必要に応じて有機ＥＬ素子１０を覆う封止層１６が、例えば無機化合物膜と有機化合物膜とを積層することなどの方法により形成されている。
陽極層としては、ニッケル、金、白金、パラジウムやこれらの合金或いは酸化錫、沃化銅などの仕事関数の大きな金属やそれらの合金、化合物、更にはポリピロール等の導電性ポリマーなども用いることができるが、透明、且つ仕事関数の大きなＩＴＯ透光性電極１３が好適には用いられる。
陰極層１５としては、電子注入に有効な材料とするため電子注入効率の向上が図れる仕事関数の小さな金属材料（低仕事関数金属材料）を用いることが好ましく、アルミニウム、マグネシウム、マグネシウムインジウム合金、マグネシウムアルミニウム合金、マグネシウム銀合金や、アルミニウムリチウム合金や、ＬｉもしくはＬｉＦ等の薄層上にアルミニウム層を設けた積層構造の電極等を用いることができる。
有機ＥＬ層１４は、両電極間に通電することにより有機ＥＬ層１４から所望の発光が得られる有機材料を用いる。例えば、陽極層１３側から順に、正孔注入輸送層１４ａと有機発光層１４ｂの２層構造として形成したり、有機発光層１４ｂの上に陰極層１５から電子を注入され易くする機能を有する電子輸送層を更に設けた３層構造としたり、正孔注入層／正孔輸送層／発光層／電子輸送層、正孔注入層／正孔輸送層／発光層、正孔輸送層／発光層／電子輸送層とした多層構成や、単層構成の有機ＥＬ層としたもの、ＰＥＤＯＴ（Poly (3,4) ethylenedioxythiophene）バッファー層を介して単層構成の有機層としたものなど様々な構成のものを用いることもできる。正孔輸送層１４ａとしては例えば芳香族アミン誘導体のジトリル−ジフェニル−ビフェニル−ジアミン（ＴＰＤ）やビス（ジトリルアミノフェニル）シクロヘキサン（ＴＰＡＣ）を、有機発光層１４ｂとしてはトリス（８−キノリノラト）アルミニウム錯体（Ａｌｑ）等を用いることができ、発光層にドーパントを添加することにより発光波長を変化させることもできる。また、これらの層の組合せおよび膜厚を適宜調整することにより、現在実用化されている有機ＥＬ表示装置の３Ｖ程度の発光電圧を、１２Ｖ等の車両の電源電圧による発光電圧にすることもでき得る。例えば２０００オングストローム程度の膜厚としている有機ＥＬ層１４を、有機ＥＬ層１４に使用する材料の組合せによっても相違するが６０００〜８０００オングストローム程度とすれば、３Ｖ程度の発光電圧を１０Ｖ以上の発光電圧にすることができる。
【００２６】
透光性基板１１および封止基板１２は、ガラスに限らず、金属、樹脂、セラミックなどの様々な材料を用いることができる。両基板は紫外線硬化樹脂、熱硬化樹脂などの接着作用を有するシール剤１７により接着固定される。なお、有機ＥＬ層１４が大気雰囲気中で駆動しても殆ど劣化しない有機ＥＬ素子１０の場合には封止基板１２を省略しても構わないし、封止層１６のみで封止するものとしても良い。
また、有機ＥＬ表示装置光源３を取り付ける面が曲面の場合には、可撓性を有する基板を用いることが好ましく。例えばポリマー樹脂の上に多層構造の酸素等遮断膜を形成した可撓性基板を用いることができる。
【００２７】
乾燥手段１８は、例えば乾燥剤１８ａとそれを押さえるテープや結着樹脂からなる固定片１８ｂからなり、封止基板１２内面に設けている。
乾燥剤１８ａには、例えば、活性炭、ゼオライト、活性アルミナ、シリカゲルなどの水分を物理的に吸着する乾燥剤や、水分を化学的に吸着する五酸化二燐（Ｐ２Ｏ５）、酸化バリウム（ＢａＯ）、酸化カルシウム（ＣａＯ）、酸化マグネシウム（ＭｇＯ）、酸化ナトリウム（Ｎａ２Ｏ）などのアルカリ金属酸化物、硫酸リチウム（Ｌｉ２ＳＯ４）、硫酸ナトリウム（Ｎａ２ＳＯ４）、硫酸カルシウム（ＣａＳｏ４）などの硫酸塩、塩化カルシウム（ＣａＣｌ２）、塩化ストロンチウム（ＳｒＣｌ２）、弗化タンタル（ＴａＦ５）、臭化マグネシウム（ＭｇＢｒ２）、沃化バリウム（ＢａＩ２）などの金属ハロゲン化物、過塩素酸バリウム（Ｂａ（ＣｌＯ４）２）などの過塩素酸塩などを用いることができる。これらは、粒径を１〜１００μｍ、好適には約１０μｍ程度としたものが好ましい。粒径が大きすぎると空隙１９を大きく設けなければならなくなるからである。
【００２８】
なお、図６は、ＩＴＯ透光性電極１３を設けたガラス基板１１上に、有機ＥＬ層１４として銅フタロシアニンからなる正孔注入層、α−ＮＰＤからなるホール輸送層、橙色を発光するためにＤＣＭからなる蛍光色素をドープしたＡｌｑ発光層、Ａｌｑからなる電子輸送層を順に積層し、アルミニウム−Ｌｉ合金からなる陰極１５を形成した有機ＥＬ素子１０の分光反射特性を示すグラフである。この素子の場合、可視光領域で平均して５０％以上の反射率を示すが赤色領域においては銅フタロシアニンによる吸収があるため薄く青色に着色した反射面として観察される。また、この有機ＥＬ素子１０を点灯させた場合には、アンバー色の発光を呈する。
【００２９】
本発明実施形態によるリアコンビネーションランプ１は、以上のように構成されており、各有機ＥＬ表示装置光源３ａ，３ｂ，３ｃから放射された光は、レンズカット６の各レンズ素子７により所定の配光に制御されて、車両後方等を照射する。リアコンビネーションランプ１においては、従来の灯具のような光源からの放射光を積極的に前方に反射するための反射鏡を各有機ＥＬ表示装置光源の背面に有していないので、全体の大幅な薄型化が図られている。
例えば従来の白熱電球を用いたリアコンビネーションランプにおいては、白熱電球が５ｃｍ程度で、これに所定の距離を開けて反射鏡とレンズカバーを配設する必要があるため、薄くても１０ｃｍ程度の奥行き方向の厚みが必要であった。これに対して上記リアコンビネーションランプ１の奥行き方向の寸法は、約１ｃｍ程度、ハウジングの強度を向上させるためのリブ等をハウジング外面に設けた場合であっても最大部の厚みで２ｃｍ程度以下の寸法とすることができる。具体的には、レンズカバーの厚みは一般的に３ｍｍ程度、ハウジングの厚みも３ｍｍ程度てあり、従来の灯具においては、この合計厚み６ｍｍに対して１６倍程度が必要であったが、本発明実施形態においては、優に１０倍以内の寸法とすることができる。実用的には、有機ＥＬ表示装置光源３の厚みもレンズカバー等と同等の厚みとすることができるので、１．５〜５倍以内という従来の灯具では到底実用化できない、極めて薄いリアコンビネーションランプが容易に得られる。
【００３０】
また、同時に大型の反射鏡が不要になると共に、ハウウジング形状を複雑にする必要がなくなること等から、ハウジングの容積も低減でき、重量の軽量化と、材料コストの低減をも図ることができる。
また、有機ＥＬ表示装置光源３を点灯する際には、直流電源駆動により点灯をすることができるので、電磁ノイズ等の発生がなく例えば車載ラジオなどの他の電子機器に与える悪影響を低減できる。よって、車両に搭載した場合において悪影響を与えることがなく省スペース化と軽量化を図ることができる。
【００３１】
図７、図８は、上記した実施形態におけるレンズカット６の他の具体例を示すものである。図７において、レンズカット６は、多数のレンズ素子１７からなり、各レンズ素子１７は、回転放物面からなる凸曲面、凹曲面もしくはこれらの複合曲面である。
図８において、レンズカット６は、多数のレンズ素子２７からなり、各レンズ素子２７は、ピラミッド状の微小プリズム、三角錐、４，５，６・・ｎの多角錘で、凸もしくは凹、またはこれらの複合からなるプリズム素子である。
レンズカット６は、これらのカットに限られるものではない。例えば各レンズ素子が整然とＸＹ方向に並んで配置せずに、放射状、円弧状、波面状などレンズ素子が任意に配列したものや、図示したレンズカット６の表面（レンズ素子１７やレンズ素子２７の表面）に微少プリズムを設けたものであっても良い。また、別部材としたレンズカットをレンズカバー２の内面に配設することもできる。例えば行方向に平行な山型プリズムカットを設けたシート部材と列方向に平行な山型プリズムカットを設けたシート部材とを積層させた複合シートからなるレンズカットとすることもできる。
各レンズ素子においてレンズ素子を設計する場合における光源の位置が、点光源ではなく各レンズ素子に近接して設けた面状光源となるので、従来の灯具では有り得ない光源位置の設定となる。それゆえ、従来の灯具では得られなかった新規な印象を与えるレンズカットを得ることができる。
【００３２】
上記した実施形態においては、３つの有機ＥＬ表示装置光源の夫々を灯具の機能に応じた点灯色を発光する光源とし、それらの光源を覆う１枚の同一色のレンズカバーとしたが、レンズカバーの一部を異なる色とした着色部を設けたもの、例えば、２ａ，２ｂ，２ｃをクリア色のレンズ材料とし、２ｄを赤色のレンズ材料としたもの等としてもよい。本発明においては、外観を観視した際に全体として薄いピンク色を呈するように薄いピンク色材料からなるレンズカバー２を用いたリアコンビネーションランプ１が、異なる発光色を発する面状光源３を用いることで、非点灯時においてはデザイン上の統一感が得られ、点灯時において外観色の印象とは異なる印象を与える機能色を点灯するものとしているが、例えば、有機ＥＬ表示装置光源３として、青色等の短波長光を放射する同一発光色の光源３を採用し、その光源３の夫々から発せられた光が車両用灯具外部に照射される光路内に、光源３からの放射光を吸収して放射光の発光波長とは異なる発光色を発する蛍光材料、例えば黄色の光を出すＹＡＧ系の蛍光材料等を備えて、有機ＥＬ表示装置用光源３からの放射光と蛍光光により白色光を照射するものとし、さらに所望の機能に応じて、色フィルターをインナーレンズとしてその前方に設ける等とすることもできる。
【００３３】
尚、上記した実施形態は、本発明の好適な具体例であるから、技術的に好ましい種々の限定が付されているが、本発明の範囲は、これらの態様に限られるものではない。リアコンビネーションランプの例で説明したが、例えば車幅灯や、サイドターンランプまたはリアガーニッシュなどに設ける車両用灯具等にも適用することもできる。
また、有機ＥＬ表示装置光源３を交換可能に取付けるようにしたもの、有機ＥＬ表示装置光源３の背面に、放熱板やハウジングに設ける通気孔を形成する等の放熱機構を設けたもの等の種々の応用も本願発明に包含される。
【００３４】
【発明の効果】
以上述べたように、本発明によれば、従来の白熱電球を用いた車両用灯具では到底に得られないような薄型の車両用灯具が提供でき得る。
【図面の簡単な説明】
【図１】本発明に係る車両用灯具の一実施形態のリアコンビネーションランプの正面図である。
【図２】図１のリアコンビネーションランプのＡ−Ａ線縦断面図である。
【図３】図１のリアコンビネーションランプの取付け状態を説明する概略断面図である。
【図４】図１のリアコンビネーションランプのレンズカットを説明する図面である。
（ａ）は要部平面図、  （ｂ）はそのＡ−Ａ線断面図。
（ｃ）および（ｄ）はレンズカットを曲面化した場合の断面図である。
【図５】図１の実施形態に用いる有機ＥＬ表示装置光源の説明図である。
（ａ）は概略正面図、  （ｂ）はそのＡ−Ａ線断面図。
【図６】図５の有機ＥＬ表示装置光源の反射特性を表すグラフである。
【図７】リアコンビネーションランプのレンズカットの他の例を説明する図面である。
（ａ）は要部平面図、  （ｂ）はそのＡ−Ａ線断面図
【図８】リアコンビネーションランプのレンズカットのさらに他の例を説明する図面である。
（ａ）は要部平面図、  （ｂ）はそのＡ−Ａ線断面図
【図９】従来のリアコンビネーションランプを説明する正面図である。
【図１０】図９のリアコンビネーションランプのＡ−Ａ線断面図である。
【符号の説明】
１    リアコンビネーションランプ
２    レンズカバー
３    光源
４    ハウジング
５    灯室
６    レンズカット
７，１７，２７    レンズ素子
８    衝撃吸収部材
９    間隙
１０    有機ＥＬ素子
１１    透光性基板
１２    封止基板
１３    透光性電極（陽極）
１４    有機ＥＬ層
１５    電極（陰極）
１６    封止層
１７    シール剤
１８    乾燥手段
１９    空隙
９０    リアコンビネーションランプ
９１    ハウジング
９２    レンズカバー
９３    光源
９４    反射鏡
【図１】
0004592172.tif 000002
【図２】
0004592172.tif 000003
【図３】
0004592172.tif 000004
【図４】
0004592172.tif 000005
【図５】
0004592172.tif 000006
【図６】
0004592172.tif 000007
【図７】
0004592172.tif 000008
【図８】
0004592172.tif 000009
【図９】
0004592172.tif 000010
【図１０】
0004592172.tif 000011